(57)【要約】【課題】デリバリシュート上で商品立ちが発生したときに内扉シャッタを押すと確実に商品を倒すことができ、それによって円滑に商品を取出口へと搬出することができる自動販売機の商品搬出部構造を提供する。【解決手段】商品収納部から搬出された商品を、傾斜面を有するデリバリシュート、内扉シャッタを介して商品取出口へと搬出する自動販売機の商品搬出部において、デリバリシュートの傾斜面上に、デリバリシュート上に在る商品が内扉シャッタとともに後方に押し込まれたときに該商品に係合可能な段差を設けたことを特徴とする自動販売機の商品搬出部構造。【選択図】  図１
2004334777.tif 000002
【特許請求の範囲】
【請求項１】
商品収納部から搬出された商品を、傾斜面を有するデリバリシュート、内扉シャッタを介して商品取出口へと搬出する自動販売機の商品搬出部において、前記デリバリシュートの傾斜面上に、デリバリシュート上に在る商品が前記内扉シャッタとともに後方に押し込まれたときに該商品に係合可能な段差を設けたことを特徴とする自動販売機の商品搬出部構造。
【請求項２】
前記デリバリシュートが前部デリバリシュートと後部デリバリシュートからなり、該前後部デリバリシュートを部分的にオーバラップさせて連結することにより前記段差が形成されている、請求項１の自動販売機の商品搬出部構造。
【請求項３】
前記段差が、デリバリシュートの傾斜面構成部の折り曲げ加工によって形成されている、請求項１の自動販売機の商品搬出部構造。
【請求項４】
前記内扉シャッタが、前方と後方とにスイング可能なシャッタからなる、請求項１〜３のいずれかに記載の自動販売機の商品搬出部構造。
【発明の詳細な説明】
【０００１】
【発明の属する技術分野】
本発明は、自動販売機の商品搬出部構造に関し、とくに、デリバリシュートから商品取出口へとより円滑に商品を搬出できるようにした自動販売機の商品搬出部構造に関する。
【０００２】
【従来の技術】
商品収納部から搬出された商品を、傾斜面を有するデリバリシュート、内扉シャッタを介して商品取出口へと搬出する自動販売機の商品搬出部の構造はよく知られている。通常、デリバリシュートの上面は平坦な平面に形成されており、デリバリシュートを傾斜配置することにより、デリバリシュートの傾斜面が形成されている。商品収納部から搬出された商品は、この傾斜面上に落下され、傾斜面上を滑落し、商品の自重の商品搬出方向成分の力を利用して開閉されるフラッパ方式等に構成された内扉シャッタを押し開きながら、商品取出口へと搬出される。
【０００３】
【特許文献１】
特開平６−２０３２６１号公報（特許請求の範囲、図１）
【０００４】
【発明が解決しようとする課題】
上記のような従来の自動販売機の商品搬出部構造は、通常、デリバリシュートの傾斜面上を搬送されてきた商品（たとえば、缶やボトル等の商品）が、倒れた姿勢にて内扉シャッタ部分を通過し、商品取出口へと搬出されることを意図して設計されている。ところが、デリバリシュートの上面が平坦な平面に形成されているため、この平面により形成される上記傾斜面上を、商品が立った姿勢のまま内扉シャッタの位置まで搬送されてしまうと、そのとき開き気味になっている内扉シャッタを押しても、押された商品は立ち姿勢のままデリバリシュート上を滑って移動するだけで、商品の立ち姿勢の解除が困難になるおそれがある。
【０００５】
そこで本発明の課題は、このような問題点に着目し、デリバリシュート上で商品立ちが発生したときに内扉シャッタを押すと確実に商品を倒すことができ、それによって円滑に商品を取出口へと搬出することができる自動販売機の商品搬出部構造を提供することにある。
【０００６】
【課題を解決するための手段】
上記課題を解決するために、本発明に係る自動販売機の商品搬出部構造は、商品収納部から搬出された商品を、傾斜面を有するデリバリシュート、内扉シャッタを介して商品取出口へと搬出する自動販売機の商品搬出部において、前記デリバリシュートの傾斜面上に、デリバリシュート上に在る商品が前記内扉シャッタとともに後方に押し込まれたときに該商品に係合可能な段差を設けたことを特徴とするものからなる。
【０００７】
この自動販売機の商品搬出部構造においては、上記デリバリシュートを前部デリバリシュートと後部デリバリシュートから構成し、該前後部デリバリシュートを部分的にオーバラップさせて連結することにより上記段差を形成することができる。
【０００８】
あるいは、上記段差を、デリバリシュートの傾斜面構成部の折り曲げ加工によって形成することもできる。
【０００９】
上記内扉シャッタの構造は、立ち姿勢にある商品を後方に押し込むことができるものであればよく、たとえば、従来構造同様、前方と後方とにスイング可能なシャッタから構成することができる。
【００１０】
このように構成された本発明に係る自動販売機の商品搬出部構造においては、デリバリシュート上で商品立ちが発生したとき、内扉シャッタを後方に向けて押し込むと、その内扉シャッタに寄り掛かっていた商品も内扉シャッタとともに後方に押し込まれる。このとき、押し込まれた商品はデリバリシュート上を滑って移動されるが、やがて商品の下端後部が上記段差に係止され、その状態でさらに押し込まれることにより、商品は確実に倒される。倒された商品はデリバリシュートの傾斜面を滑り落ちるから、商品は円滑に商品取出口へと搬出されることになる。つまり、商品の立ち姿勢が、極めて簡単に解除され、所定の商品搬出が円滑に行われるようになる。
【００１１】
【発明の実施の形態】
以下に、本発明の望ましい実施の形態について、図面を参照して説明する。
図１は、本発明の一実施態様に係る自動販売機の商品搬出部構造を示している。図１において、自動販売機１の内部上部には、飲料缶やボトル等の商品を収納する商品収納部２が設けられており、その下方には、傾斜面３を有するデリバリシュート４と、内扉シャッタ枠５に吊り下げ方式で取り付けられスイングにより開閉自在のフラッパ構造に構成された内扉シャッタ６が設けられている。商品収納部２から落下搬出されてきた商品１２は、デリバリシュート４の傾斜面３上を滑落した後、内扉シャッタ６を開いて商品取出口７へと搬出されるようになっている。本実施態様では、デリバリシュート４の傾斜下端側は、内箱底部部材８に連結固定されている。
【００１２】
上記デリバリシュート４の傾斜面３上には、段差９が設けられている。この段差９は、デリバリシュート４上に在る商品が上記内扉シャッタ６とともに後方に押し込まれたときに該押し込まれてきた商品に係合可能な（該商品の下端又は上端部を係止可能な）構造、段差方向に形成されている。本実施態様では、デリバリシュート４が前部デリバリシュート１０と後部デリバリシュート１１とから構成され、前後部デリバリシュート１０、１１を部分的にオーバラップさせて連結することにより、両デリバリシュート１０、１１で形成される傾斜面３上に段差９が設けられている。
【００１３】
ただし、この段差９の形成方法はとくに限定されず、前述したように、たとえば１枚もののデリバリシュートの傾斜面構成部を折り曲げ加工することによって形成してもよい。いずれにしても、この段差９は、後述の如き商品が後方に押し込まれてきたときに商品を傾倒させることができる形状に形成される。
【００１４】
このように構成された本実施態様に係る自動販売機の商品搬出部構造においては、たとえば図２に示すように、商品１２が立ち姿勢のまま内扉シャッタ６まで搬送されてくると、内扉シャッタ６がある開度にて開き、立ち姿勢の商品１２は内扉シャッタ６に係止されて、商品取出口７には落下しない状態になることがまれにある。このような状態になると、通常、顧客は内扉シャッタ６に対して押したり引いたりする動作を加える。内扉シャッタ６を手で押すと、押された内扉シャッタ６とともにその内側に在る商品１２も後方に押され、押された商品１２はデリバリシュート４の傾斜面３上を立ち姿勢のまま後方に向けて移動される。
【００１５】
内扉シャッタ６がさらに押し込まれると、図３に示すように、やがて、移動される商品１２の後端部の下端部が段差９と接触し、商品１２の後端下端部が段差９に係止される。この状態から内扉シャッタ６がさらに押し込まれると、図４に示すように、後端下端部が段差９に係止されている商品１２が後方に向けて倒される。倒れた商品１２は、図５に示すように、傾斜面３上を滑り落ちる。この滑落状態は、目標とする望ましい滑落状態であり、商品１２は、自重成分により内扉シャッタ６を開いて、商品取出口７へと落下、搬出される。
【００１６】
このように、内扉シャッタ６の内側でたとえ商品１２が立ち姿勢になったとしても、内扉シャッタ６を押し込むだけの極めて簡単な操作で立ち姿勢が解除されて商品１２が倒され、所望の円滑な商品搬出が行われるようになる。
【００１７】
【発明の効果】
以上説明したように、本発明に係る自動販売機の商品搬出部構造によれば、内扉シャッタの内側で商品立ちが発生した場合にも、その商品の立ち姿勢を極めて簡単な操作で解除でき、商品取出口への所望の円滑な商品搬出を行うことができるようになる。
【図面の簡単な説明】
【図１】本発明の一実施態様に係る自動販売機の商品搬出部構造を示す自動販売機の部分概略縦断面図である。
【図２】図１の商品搬出部構造における一動作を示す概略縦断面図である。
【図３】図１の商品搬出部構造における次の動作を示す概略縦断面図である。
【図４】図１の商品搬出部構造におけるさらに次の動作を示す概略縦断面図である。
【図５】図１の商品搬出部構造におけるさらに次の状態を示す概略縦断面図である。
【符号の説明】
１  自動販売機
２  商品収納部
３  傾斜面
４  デリバリシュート
５  内扉シャッタ枠
６  内扉シャッタ
７  商品取出口
８  内箱底部部材
９  段差
１０  前部デリバリシュート
１１  後部デリバリシュート
１２  商品
【図１】
2004334777.tif 000003
【図２】
2004334777.tif 000004
【図３】
2004334777.tif 000005
【図４】
2004334777.tif 000006
【図５】
2004334777.tif 000007